(57)【要約】【課題】放出する光束を精度よく所定の角度で指向させ、輝度ムラをなくすことができる光拡散板の製造方法を提供する。【解決手段】マスター拡散体７を通して拡散された干渉光により、基板上に形成された感光性媒体２を露光・現像してスペックルパターンを有する微細彫刻面を形成し、該微細彫刻面を利用して光拡散板を製造することよりなる光拡散板の製造方法であって、前記基板として可撓性部材を用い、基板の感光性媒体２面をマスター拡散体７側に撓ませて露光を行う。【選択図】        図３
2005140966.tif 000002
【特許請求の範囲】
【請求項１】
拡散体を通して拡散された干渉光により、基板上に形成された感光性媒体を露光・現像してスペックルパターンを有する微細彫刻面を形成し、該微細彫刻面を利用して光拡散板を製造することよりなる光拡散板の製造方法であって、
前記基板として可撓性部材を用い、基板の感光性媒体面を拡散体側に撓ませて露光を行うことを特徴とする光拡散板の製造方法。
【請求項２】
前記微細彫刻面が形成された基板を用いて該微細彫刻面の組織が転写された電鋳金型を製造し、次いで該電鋳金型を用いて直接または間接に光拡散板を製造することを特徴とする請求項１に記載の光拡散板の製造方法。
【請求項３】
前記感光性媒体面の前記拡散体側への撓みは、感光性媒体面と拡散体との間の距離が該感光性媒体面内で一定となるように設定することを特徴とする請求項１に記載の光拡散板の製造方法。
【発明の詳細な説明】
【技術分野】
【０００１】
本発明は、光拡散板の製造方法に関するものである。
【背景技術】
【０００２】
近年、会議等において発言者が資料を提示する方法としてオーバヘッドプロジェクターやスライドプロジェクターが広く用いられている。また、一般家庭においても液晶を用いたビデオプロジェクターや動画フィルムプロジェクターが普及しつつある。これらのプロジェクターの映写方法は光源から出力された光を、例えば透過形の液晶パネル等によって光変調して画像光を形成し、この画像光をレンズ等の光学系を通して出射してスクリーン上に映写するものである。
【０００３】
例えば、スクリーン上にカラー画像を形成することができるプロジェクター装置は、光源から出射された光線を赤（Ｒ）、緑（Ｇ）、青（Ｂ）の各色に分離して所定の光路に収束させる照明光学系と、この照明光学系によって分離されたＲＧＢ各色の光束をそれぞれ光変調する液晶パネル（ライトバルブ）と、液晶パネルにより光変調されたＲＧＢ各色の光束を合成する光合成部とを備え、光合成部により合成したカラー画像を投射レンズによりスクリーンに拡大投影するようになっている。
【０００４】
また、最近では光源として狭帯域三原色光源を使用し、液晶パネルの代わりにグレーティング・ライト・バルブ（ＧＬＶ：Grating Light Valve）を用いてＲＧＢ各色の光束を空間変調するタイプのプロジェクター装置も開発されている。
【０００５】
上述したプロジェクター装置においては、投影像を見るためにプロジェクター用スクリーンが用いられる。このプロジェクター用スクリーンには大別して、スクリーンの表側から投影光を照射して当該投影光のスクリーンでの反射光を見るフロントプロジェクタ用スクリーンと、スクリーンの裏側から投影光を照射してスクリーンを透過した光をスクリーンの表側から見るリアプロジェクタ用スクリーンとがある。いずれの方式のスクリーンにおいても視認性の良好な広視野角のスクリーンであることが要求される。
【０００６】
そのため、いずれの方式においても一般にスクリーン表面に光を散乱させる光拡散板が設けられており、この光拡散板により画像光が均一にしかも画面の有効領域全体へ拡散射出されるようになる。
【０００７】
この光拡散板の製法として、従来から樹脂粒子を樹脂バインダーへ分散したものを透明基板に塗布する方法、微小な凹凸を機械加工した金型から紫外線硬化樹脂などを用いて形状転写する方法などがあった。
【０００８】
また、コヒーレント光束を粗面に照射した際に生成されるスペックルパターンを感光材料に形成する方法も従来から用いられている（例えば、特許文献１，２参照。）。特にこの手法は個々のスペックルパターンを微小レンズに見立てて効果的な光拡散が得られるだけでなく、形状がランダム配置されるため、モアレ模様や光干渉による色づきが発生しない利点があり極めて有用である。
【０００９】
スペックルパターンを感光材料に形成する方法を用いた光拡散板の製造は、つぎのような工程により行われる。
【００１０】
（ｓ９１）基板上に感光性媒体として、例えば重クロム酸化ゼラチン（ＤＣＧ）などの感光性媒体を設けた感光基板を用意し、その感光性媒体にスペックルパターンに変調されたレーザ光を露光した後に現像・固定化する。なお、１回の露光エリアの面積は１〜数１０ｃｍ２であることから、露光工程では感光性媒体の露光対象部分をずらしながら繰り返して感光性媒体全面の露光を行う。また、ポジ型フォトレジストを用いた場合には、現像したとき露光エリアは除去され、非露光エリアはそのまま残るようになる。これにより、前記スペックルパターンに対応する凹凸形状の微細彫刻面が表面に形成された感光基板となる。
【００１１】
（ｓ９２）ステップｓ９１で作製された感光基板の表面に、例えば紫外線硬化型のエポキシ樹脂を塗布し、硬化させて感光基板表面の凹凸を転写させた樹脂製の型を作製する。
【００１２】
（ｓ９３）ついで、その樹脂製型の表面に導電化処理を施して導電層を形成し、その導電層を陰極として電鋳加工を行い、メタルマスターを作製する。このとき、導電化処理として銀鏡処理、無電解メッキ処理、真空蒸着処理、スパッタリング処理などにより金属等の導電層を形成する。また、電鋳加工として、例えばニッケルを所定厚みに電着させ、その電着ニッケル層から樹脂製型を脱型して金属電鋳のメタルマスターを得る。
あるいは、ステップｓ９２の工程を省略し、ステップｓ９１で作製された感光基板にステップｓ９３の処理を施してメタルマスターを直接形成してもよい。
【００１３】
（ｓ９４）ステップｓ９３で作製されたメタルマスターに基づいて、例えば熱成形のプラスチックフィルムに型押しするなどして光拡散板を製造する。
【００１４】
【特許文献１】特開昭５３−５１７５５号公報
【特許文献２】特開２００１−１００６２１号公報
【発明の開示】
【発明が解決しようとする課題】
【００１５】
しかしながら、上記方法で作製された光拡散板では、露光エリアごとにそのエリア内の拡散角分布が異なっており、例えば図６に示すように露光エリア中央部とエッジ部との間で輝度ムラが生じていた。また、露光処理の効率化を図るために露光エリアの面積を大きくするほど、露光エリア内の輝度ムラも大きくなっていた。
【００１６】
本発明は、以上の従来技術における問題に鑑みてなされたものであり、放出する光束を精度よく所定の角度で指向させ、輝度ムラをなくすことができる光拡散板の製造方法を提供することを目的とする。
【課題を解決するための手段】
【００１７】
発明者らは、従来の露光方法では、図７に示すように平板形状の感光基板の露光対象のエリアの中央に対向する位置に配置されたレーザ光源からの光がマスター拡散体を通過してある広がりをもった光となって感光基板に露光されることにより、上記輝度ムラが発生していることを掴んだ。すなわち、露光エリアでは平面方向の位置によりマスター拡散体からの距離と角度が異なっている（例えば、図中エリアエッジ部Ａ点とエリア中央部Ｂ点とにおける差異）ため、感光性媒体上に露光・現像されるスペックル（斑点状）の凹凸の形状と向きがそれに対応して不均一なものとなり、それが拡散角分布ひいては輝度分布の差異となっていた。そこで、発明者らはその問題点を解決すべく、鋭意検討を行った結果、本発明を成すに至った。
【００１８】
すなわち、前記課題を解決するために提供する本発明は、拡散体を通して拡散された干渉光により、基板上に形成された感光性媒体を露光・現像してスペックルパターンを有する微細彫刻面を形成し、該微細彫刻面を利用して光拡散板を製造することよりなる光拡散板の製造方法であって、前記基板として可撓性部材を用い、基板の感光性媒体面を拡散体側に撓ませて露光を行うことを特徴とする光拡散板の製造方法である。
【００１９】
ここで、前記微細彫刻面が形成された基板を用いて該微細彫刻面の組織が転写された電鋳金型を製造し、次いで該電鋳金型を用いて直接または間接に光拡散板を製造することが好ましい。
【００２０】
また、前記感光性媒体面の前記拡散体側への撓みは、感光性媒体面と拡散体との間の距離が該感光性媒体面内で一定となるように設定することが好ましい。
【発明の効果】
【００２１】
本発明によれば、光拡散板のどの場所においても放出される光が目的の視野内に指向せしめるように制御されるため、高く均一な輝度やゲインを得ることができる。
【発明を実施するための最良の形態】
【００２２】
以下に、本発明の実施の形態について説明する。
図１は、本発明で使用する感光基板の断面構成図である。
感光基板１０は、基板１上に層状に感光性媒体２が設けられた構成である。
【００２３】
基板１は、可撓性部材であることが好ましく、例えば、塩ビシート、ポリエチレンテレフタレート（ＰＥＴ）シート等が挙げられる。また、感光性媒体２へ露光した際に感光性媒体２を透過した光が基板１で反射されて感光性媒体２に悪影響を及ぼさないようにするために光透過性の材料であることが好ましい。
【００２４】
感光性媒体２は、露光工程で使用される光に感度を有するものであり、例えば重クロム酸化ゼラチン（ＤＣＺ）、フォトレジスト、ハロゲン化銀、フォトポリマーなどが挙げられる。このうち、フォトレジストは、光化学反応によりポリマー化を示す一般的なものでよく、例えば光重合型感光性樹脂などが挙げられ、現像時に露光部が溶出する、いわゆるポジタイプ、又は同未露光部が溶出するネガタイプのいずれをも用いることができる。また、このフォトレジストは液状でもドライフィルムタイプでもよい。
この感光性媒体２が基板１上に塗布あるいは貼付けされて層状に形成される。
【００２５】
以下、本発明の根幹をなす露光工程について説明する。
図２は、光拡散板の製造工程のうち、露光工程における露光機構の構成図であり、図３はその拡大図である。
【００２６】
図２において、レーザ４から出射されたレーザ光は対物レンズ５、シリンドリカルレンズ６を経た後、マスター拡散体７を通過することにより、干渉光（スペックルパターンに変調されたコヒーレント光）となり、感光基板１０に露光される。
【００２７】
本発明で使用されるレーザ４は、とくに制約はないがその波長が感光性媒体２の感度がなるべく高くなるように設定されると同時に、露光時間短縮のため十分に大きな出力が確保されていることが好ましい。
また、対物レンズ５、シリンドリカルレンズ６は、従来公知のものでよい。
【００２８】
マスター拡散体７は、レーザ光を干渉させスペックルパターンに変調するためのものであり、例えば従来公知のすりガラス、レンズ状拡散体、アセテート拡散体などでよい。
【００２９】
感光性媒体２に露光されるスペックルのサイズは、すりガラス等のマスター拡散体７に照射される投射光のサイズに反比例する。すなわち、マスター拡散体７に照射される投射光のサイズが大きくなれば、感光性媒体２に露光されるスペックルのサイズは小さくなり、投射光のサイズが小さくなれば、スペックルのサイズが大きくなる。従って、例えばマスター拡散体７に照射する投射光のサイズが横方向に細長い場合には、感光性媒体２上のスペックルは縦方向に細長くなる。
【００３０】
一般に光拡散板の拡散散乱光の拡がり角度、即ち、散乱光の角度分布は、感光性媒体２に露光されるスペックルの平均サイズ及び形状に依存する。スペックルが横方向の長円形であれば、散乱光の角度分布の形は縦方向の長円形となる。従って、感光性媒体２に露光されるスペックルのサイズと形状は光拡散板において目的の出力または拡がり角度が得られるように制御されるのが好ましい。
【００３１】
ここで、感光性媒体２に露光されるスペックルのサイズと形状（最終的には現像・固定化されて形成される微細彫刻面のサイズ、形状及び方向）は、用いられた対物レンズ５、シリンドリカルレンズ６とマスター拡散体７の型及びこれら感光性媒体８との相対位置を含む多数の変数の関数となる。
【００３２】
感光性媒体２内に所望の彫刻表面組織を記録するためには、スペックルのサイズに関しては、対物レンズ５とマスター拡散体７との間の距離ｘ、およびシリンドリカルレンズ６とマスター拡散体７との間の距離ｙ、マスター拡散体７と感光性媒体２との間の距離ｚを考慮しなければならない。
【００３３】
例えば、距離ｘが減少したとき、スペックルのサイズは縦方向、横方向共に増加する。また、シリンドリカルレンズ６の結像側焦点距離より遠い場所で結像させるときで距離ｙが減少したとき、スペックルのサイズは縦方向のみに増加する。また、距離ｚが減少すれば、感光性媒体２に記録されたスペックルのサイズもまた減少する。これとは逆に、距離ｚが増加すれば、スペックルのサイズが増加する。
【００３４】
本発明においては、図３に示すように感光基板１０の感光性媒体２面をマスター拡散体７側に撓ませて露光を行う。すなわち、基板１を撓ませることにより感光性媒体２をマスター拡散体７の中心に対して略円弧状に設置し、マスター拡散体７からの距離ｚを可能な限り感光性媒体２の平面内で一定とする。このことにより感光性媒体２に形成されるスペックルのサイズと方向が図に示すように感光性媒体２の平面内で一定となる。
【００３５】
また、マスター拡散体７へは、対物レンズ５、シリンドリカルレンズ６によってレーザ４からの光が拡大されて投射される。ここで、シリンドリカルレンズ６からマスター拡散体７に向かう投射光の断面積は、レーザ４のビームの断面積よりも大きくなっており、この投射光のビームは対物レンズ５とシリンドリカルレンズ６の倍率に応じて広がる。
【００３６】
以上のように、距離ｘ、ｙ、ｚ間の単純な関係と対物レンズ５の倍率と、シリンドリカルレンズ６の倍率と、感光性媒体２の曲げ形状を経験に基づいて総て調節することにより、感光性媒体２に望ましいサイズのスペックルを得ることができる。
【００３７】
ついで、上記工程により露光された感光基板１０の感光性媒体２について所定の現像・固定化の処理が行われ、例えば感光性媒体２がネガタイプの場合には露光部だけが残って、その表面にスペックルパターンに基づいた凹凸形状の微細彫刻面が形成される。この凹凸形状が最終製品である光拡散板の表面形状の原型となり、この微細彫刻面を利用して光拡散板を製造すればよい。
【００３８】
上記に示した本発明は、感光基板上の感光性媒体に露光する工程に特徴を有するものであるため、それ以降の工程については、上記微細彫刻面から光拡散板を製造する方法であれば、どのような製造方法にも本発明の適用が可能である。例えば、微細彫刻面が形成された基板を用いて該微細彫刻面が転写された電鋳金型を製造し、次いで該電鋳金型を用いて直接または間接に光拡散板を製造する方法でよい。
【００３９】
例えば、光拡散板の好ましい製造方法としては、第１の工程としてすりガラス等のマスター拡散体を通過した干渉光を感光性媒体に記録し、第２の工程として感光性媒体の表面組織を例えばエポキシに複写し、第３の工程として量産のためエポキシから金属電鋳マスターを作る方法が挙げられる。
【００４０】
上記第１の工程では露光後、感光性媒体を現像するため従来の現像プロセスを用いればよい。ＤＣＧの例では、表面組織を作るため露光エリアよりもはるかに大きく非露光エリアを増大せしめるため水−アルコール浴を用いる。また、ポジ型フォトレジストを用いた場合には、現像したとき露光エリアは除去され、非露光エリアはそのまま残る。ネガ型フォトレジストを用いた場合には、現像したとき非露光エリアは除去され、露光エリアはそのまま残る。上記記録機構の何れかを用いて感光性媒体が記録、現像される。
【００４１】
ついで、第２の工程では、感光性媒体に形成された微細彫刻面の表面組織を硬化可能な標準エポキシまたはシリコンゴム、または他のモールド材に写すことが好ましい。また、硬化後エポキシの引きはがしを容易ならしめるためエポキシを適用する前に感光性媒体に離型剤を塗布すればよい。エポキシは、感光性媒体との間に気泡が入り込まないよう均一に挟む必要がある。この挟み込みが完了した後エポキシをＵＶランプまたは時間経過により硬化せしめ、最後にエポキシを感光性媒体から分離せしめて複写を完了する。
【００４２】
ついで、第３の工程では、正確な親複製を多数作るため標準の量産技術を用いることができ、例えばニッケル電鋳等の従来の電鋳プロセスを用いればよい。これにより、ポリエステルまたは熱成形プラスチックに型押しするために用いる金属マスター（親複製）を作ることができる。
【００４３】
図４に、本発明により作製された光拡散板の出力特性を表す概念図を示す。
光拡散板２０は、所定の出力エリア８内に光を反射、あるいは透過せしめるために好適な、上記感光性媒体に形成された微細彫刻面を原型とする彫刻表面組織を有するプラスチック等の材料より成る。また、光拡散板２０は画像を射影する所望の寸法及び形状のものである。
【００４４】
光拡散板２０の表面組織は光拡散板２０を透過して所定の出力エリア８に放出される光束を再指向せしめ、その光は所定の出力エリア８内に出力され、出力エリア８以外での光の輝度レベルは極端に低くなり、効率は極めて高くなる。
【００４５】
また、所定の出力エリア８に実際に再指向される光の出力エリア８ｄ内の輝度は、本発明の光拡散板２０を用いない場合よりも高くなり、その輝度は光拡散板２０の平面内位置により変化が少ない。光拡散板２０の平面内の各位置を平行に透過した光はそれぞれの位置ａ，ｂ，ｃで異なった出力エリア８ａ,８ｂ,８ｃを示すがそれぞれの矩形形状は同一であり、各位置からの出力エリアの重なった矩形のエリア８ｄにおいては光拡散板２０の平面内のどの位置から出射された光の輝度もほぼ一定となる。
【００４６】
したがって、本発明により作製した光拡散板は、光拡散板のどの場所においても放出される光が目的の視野内に指向せしめるように制御されるため、高く均一な輝度やゲインを得ることができ、反射型スクリーン、透過型スクリーンを問わず用いることができる。例えば、アルミニウム、選択反射膜等の反射機能を有した材料を光拡散板の表面、あるいは裏面に蒸着、あるいは塗布、あるいは貼付して形成した反射型スクリーンの場合には、光拡散板の彫刻組織に応じて入射光束を反射せしめ、光は望まないエリア内には反射されず、所定の出力エリア内に反射されるため、全出力エリア内で輝度が上昇する。
【実施例】
【００４７】
以下に、本発明の実施例を説明する。なお、本実施例は例示であり、本発明はこの実施例に限定されるものではない。
（実施例１）
図２，３に示した構成で露光処理を行った。その露光条件を以下に示す。
（１）光源：水冷アルゴンイオンレーザ（スペクトラフィジックス社製、出力０．２ｍＷ、露光エネルギー２ｍＪ）
（２）マスター拡散体：すりガラス
（３）マスター拡散体と感光基板との距離：６００ｍｍ
（４）マスター拡散体上の投影形状（マスクにて調整）：横×縦＝６０ｍｍ×１０ｍｍの長円
（５）感光基板
ｉ）基板：ＰＥＴフィルム  ２００ｍｍ×１５０ｍｍ
ii）感光性媒体：フォトレジスト（デュポンＭＲＣドライフィルム社製ＦＭＡ６Ｅ４０）
（６）感光基板曲げ形状：横方向マスター拡散体中心に対してＲ６００ｍｍに湾曲
（７）露光時間：１０秒
【００４８】
この感光基板を用いて上記露光条件で露光した後、炭酸ナトリウム１．０％溶液で現像を行った。その後、十分に水洗した後、温風乾燥してスペックルパターンに対応した凹凸形状の微細彫刻面を形成した。
【００４９】
このようにして作製した微細彫刻面へアルミ蒸着を行い、ついでＮｉからなる電鋳層を形成して、メタルマスターを作製した。
【００５０】
こうして得られたメタルマスターを用いて熱可塑性透明樹脂シートと重ねて熱プレスを行い、光拡散板の製品を得た。
【００５１】
上記光拡散板の露光エリアエッジ部Ａと中央部Ｂそれぞれの位置における輝度分布を図５に示す。なお、この光拡散板は横方向で略４０°、縦方向で略２０°のＦＷＨＭ（Full Width Half Maximum）を有する、いわゆる横方向４０°、縦方向２０°の略楕円形光拡散板である。
従来の光拡散板では、図６のようにＡ，Ｂの各位置での幅とピークの角度が異なっており、この範囲内で輝度ムラが大きい。これに対して、本発明の光拡散板では、図５においてＡ，Ｂの各位置で輝度分布のばらつきはほとんどなく、輝度ムラが少ないことが分かる。
また、輝度分布のサイドローブ（所定の出力エリアの外側エリア、またはＦＷＨＭ発光エリア）の強度は最小であり、従って光エネルギーは有効に保存されていることが分かる。
【００５２】
（実施例２）
以下の条件で光拡散板を作製した。
（１）感光基板：
ｉ）基板：ＰＥＴフィルム（厚み１２５μｍ）サイズ  対角線の長さ８０インチ
ii）剥離層：アクリル系樹脂（塗布厚１〜２μｍ）
iii）感光性媒体：ネガ型ドライフィルム（デュポンＭＲＣドライフィルム社製ＦＭＡ１０７、厚さ２５μｍ）
【００５３】
ここで、基板のＰＥＴフィルムに剥離層としてアクリル系樹脂をグラビアコータにて塗布乾燥した後、その表面に感光性媒体として上記ドライフィルムを約１００℃でラミネートして感光基板とした。
【００５４】
ついで、この感光基板を用いて、図２，３に示す構成の露光を行った。露光条件を以下に示す。
【００５５】
（２）露光条件
ｉ）光源：アルゴンイオンレーザ（スペクトラフィジックス社製ＳＴＡＢＩＬＩＴＥ２０１７、波長４８８ｎｍ、出力１Ｗ）
ii）マスター拡散板：すりガラス（透過光強度の半値幅２０°）
iii）マスター拡散体と感光基板との距離：６００ｍｍ
iv）マスター拡散体上の投影形状（マスクにて調整）：横×縦＝６０ｍｍ×１０ｍｍの長円
v）感光基板曲げ形状：横方向マスター拡散体中心に対してＲ６００ｍｍに湾曲
vi）露光時間：１０秒
【００５６】
上記露光条件で露光した後、液温２８℃の炭酸ナトリウム１．０％溶液をスプレー圧１．５×１０５Ｐａでスプレーして現像を行った。その後、十分に水洗した後、温風乾燥してスペックルパターンに対応した凹凸形状の微細彫刻面を有する感光基板を得た。
ついで、この感光基板は厚み０．１６０ｍｍ前後であり剛性に欠けるため、紫外線硬化性接着剤を用いてその裏面に厚み２ｍｍのアクリル基板を接着して剛性を増し、その後の処理の利便性を図った。
【００５７】
このようにして作製した感光基板表面へ硝酸銀水溶液と還元剤水溶液を二筒式スプレー法により塗布し、銀鏡反応により導電化処理を行い、導電層としてＡｇ層を形成した。
電鋳工程ではスルファミン酸ニッケル水溶液浴中にて、上記導電層を陰極としてニッケル電極との間に直流電流を通電して電着層としてＮｉ層を厚さ５ｍｍ電着した。
【００５８】
電着終了後、端面の研磨工程を経て第１電鋳層とし、アクリル基板を１２０℃に加熱して剥離層を溶融して層間剥離させることにより、基板を分離した。ついで、６０℃、５％の水酸化ナトリウム水溶液により感光性媒体及び中間層の残存物を膨潤剥離した。
【００５９】
つぎに第１電鋳層の表面に付着している導電層は除去せずに、上記第１電鋳層の場合と同様の手順にて第２電着層としてＮｉ層を形成した。
ついで、導電層を層間剥離させることにより、第２電鋳層を第１電鋳層から分離し、さらに第２電鋳層に付着している導電層の残存物を除去した。
【００６０】
こうして得られた第２電鋳層をマスターの電鋳金型としてサブマスターの電鋳金型を作成し、これにアクリル系紫外線硬化型樹脂を塗布した後、紫外線照射により硬化させて対角線の長さ８０インチの光拡散板の製品を得た。
【００６１】
上記のように、大面積の感光性媒体への露光を短時間で行うことができるため、大画面で高品質の光拡散板の製造が可能であり、かつ電鋳金型製造時に第１世代電着後に導電層に残存している形状を崩すことなく感光性媒体を除去することができ、引き続き施される第２世代電着によって原型（感光基板の凹凸パターン）に忠実な電鋳金型を得ることが可能であった。またそのため、光拡散板のどの場所においても放出される光が目的の視野内に指向せしめるように制御された高く均一な輝度やゲインを有する光拡散板を得ることができた。
【図面の簡単な説明】
【００６２】
【図１】感光基板の断面構成図である。
【図２】本発明に係る光拡散板の製造方法における露光工程における露光機構の構成図である。
【図３】図２の拡大構成図である。
【図４】本発明により作製された光拡散板の出力特性を表す概念図である。
【図５】本発明により作製された光拡散板の露光エリアエッジ部Ａと中央部Ｂそれぞれの位置における輝度分布を示す図である。
【図６】従来の光拡散板の露光エリアエッジ部Ａと中央部Ｂそれぞれの位置における輝度分布を示す図である。
【図７】従来の露光工程における露光機構の拡大構成図である。
【符号の説明】
【００６３】
１…基板、２…感光性媒体、４…レーザ、５…対物レンズ、６…シリンドリカルレンズ、７…マスター拡散体、８，８ａ，８ｂ，８ｃ，８ｄ…出力エリア、１０…感光基板、２０…反射型スクリーン
【図１】
2005140966.tif 000003
【図２】
2005140966.tif 000004
【図３】
2005140966.tif 000005
【図４】
2005140966.tif 000006
【図５】
2005140966.tif 000007
【図６】
2005140966.tif 000008
【図７】
2005140966.tif 000009